(57)【特許請求の範囲】
【請求項１】
無線通信端末と移動機とのペアリングを管理する管理サーバを備え、前記無線端末が遺失した場合の捜索サービスを提供する遺失物捜索システムであって、
前記管理サーバは、
所定頻度で更新される本サービスを識別するためのサービス識別子を、一定期間分、生成し、管理下にある前記移動機に通知する第１通知手段を備え、
前記無線通信端末とペアリングされた移動機は、
前記無線通信端末に登録されている前記サービス識別子を、前記所定頻度で更新する更新手段と、
前記サービス識別子が、前記所定頻度で更新できなかったことを契機として、前記無線通信端末は遺失したと判定する判定手段と、
遺失した前記無線通信端末の捜索を依頼する協力ユーザの指定を受け付ける受付手段と、
遺失した前記無線通信端末の前記サービス識別子、及び前記無線通信端末を識別するための端末識別情報を前記管理サーバへ通知する通知手段と、
前記協力ユーザに対する前記無線通信端末の捜索依頼を前記管理サーバへ送信する送信手段とを備え、
前記管理サーバは、
前記捜索依頼のあった前記協力ユーザの移動機に対して、遺失した前記無線通信端末の前記サービス識別子、及び前記端末識別情報を前記協力ユーザの移動機へ通知する第２通知手段をさらに備える、遺失物捜索システム。
【請求項２】
前記管理サーバは、
前記協力ユーザの移動機によって前記無線通信端末が検出された場合、検出された時の時間情報及び位置情報を、前記協力ユーザの移動機から受信する受信手段と、
前記無線通信端末が検出された旨、及び検出された時の時間情報及び位置情報を、前記無線通信端末とペアリングされた前記移動機へ通知する第３通知手段とをさらに備える、請求項１に記載の遺失物捜索システム。
【請求項３】
前記管理サーバは、
前記無線通信端末とペアリングされた前記移動機から再接続できた旨の通知をうけた場合に、前記協力ユーザの移動機に対して捜索依頼の解除を通知する第４通知手段をさらに備える、請求項２に記載の遺失物捜索システム。
【請求項４】
前記無線通信端末とペアリングされた移動機は、
前記無線通信端末の遺失をユーザに報知する報知手段をさらに備える、請求項１〜３のいずれか１の請求項に記載の遺失物捜索システム。
【請求項５】
無線通信端末と移動機とのペアリングを管理する管理サーバを備え、前記無線端末が遺失した場合の捜索サービスを提供する遺失物捜索システムであって、
前記管理サーバは、
所定頻度で更新される本サービスを識別するためのサービス識別子を、一定期間分、生成し、管理下にある前記移動機に通知する第１通知手段を備え、
前記無線通信端末とペアリングされた移動機は、
前記無線通信端末に登録されている前記サービス識別子を、前記所定頻度で更新する更新手段と、
前記サービス識別子が、前記所定頻度で更新できなかったことを契機として、前記無線通信端末は遺失したと判定する判定手段とを備え、
前記管理サーバの管理下にある他の移動機は、
前記無線通信端末から更新前の古いサービス識別子を受信することで、当該無線通信端末を、遺失した無線通信端末として検出する検出手段と、
前記無線通信端末を検出した時の時間情報及び位置情報とともに、前記無線通信端末から受信した前記古いサービス識別子、及び前記端末識別情報を前記管理サーバへ送信する送信手段とを備える、遺失物捜索システム。
【請求項６】
前記管理サーバは、
前記無線通信端末とペアリングされた前記移動機から、遺失した前記無線通信端末の問い合わせを受信した場合に、問い合わせを受信した前記移動機のユーザの正当性を認証する認証手段と、
認証が成立した場合に、前記無線通信端末を検出した後の時間情報及び位置情報を、前記問い合わせを受信した前記移動機へ通知する第５通知手段と、をさらに備える請求項５に記載の遺失物捜索システム。
【請求項７】
無線通信端末と移動機とのペアリングを管理する管理サーバと、アクセスポイントと、前記アクセスポイントの位置を管理するアクセスポイント管理サーバとを備え、前記無線端末が遺失した場合の捜索サービスを提供する遺失物捜索システムであって、
前記管理サーバは、
所定頻度で更新される本サービスを識別するためのサービス識別子を、一定期間分、生成し、管理下にある前記移動機に通知する第１通知手段を備え、
前記無線通信端末とペアリングされた移動機は、
前記無線通信端末に登録されている前記サービス識別子を、前記所定頻度で更新する更新手段と、
前記サービス識別子が、前記所定頻度で更新できなかったことを契機として、前記無線通信端末は遺失したと判定する判定手段とを備え、
前記アクセスポイントは、
前記無線通信端末から更新前の古いサービス識別子を受信することで、当該無線通信端末を、遺失した無線通信端末として検出する検出手段と、
前記無線通信端末を検出した時の時間情報とともに、前記無線通信端末から受信した前記古いサービス識別子、及び前記端末識別情報を前記管理サーバへ送信する送信手段とを備え、
前記管理サーバは、
前記アクセスポイント管理サーバに対し、前記アクセスポイントの位置の問い合わせを行う問い合わせ手段をさらに備え、
前記アクセスポイント管理サーバは、
前記問い合わせに応じて、前記アクセスポイントの位置を前記管理サーバに通知する通知手段を備える、遺失物捜索システム。
【請求項８】
前記管理サーバは、
前記無線通信端末とペアリングされた前記移動機から、遺失した前記無線通信端末の問い合わせを受信した場合に、問い合わせを受信した前記移動機のユーザの正当性を認証する認証手段と、
認証が成立した場合に、前記無線通信端末を検出した後の時間情報、及び前記アクセスポイントの位置を、前記問い合わせを受信した前記移動機へ通知する第６通知手段と、をさらに備える請求項７に記載の遺失物捜索システム。
【請求項９】
無線通信端末と移動機とのペアリングを管理する管理サーバを備え、前記無線端末が遺失した場合の捜索サービスを提供する遺失物捜索システムの制御方法であって、
前記管理サーバが、
所定頻度で更新される本サービスを識別するためのサービス識別子を、一定期間分、生成し、管理下にある前記移動機に通知し、
前記無線通信端末とペアリングされた移動機が、
前記無線通信端末に登録されている前記サービス識別子を、前記所定頻度で更新し、
前記サービス識別子が、前記所定頻度で更新できなかったことを契機として、前記無線通信端末は遺失したと判定し、
遺失した前記無線通信端末の捜索を依頼する協力ユーザの指定を受け付け、
遺失した前記無線通信端末の前記サービス識別子、及び前記無線通信端末を識別するための端末識別情報を前記管理サーバへ通知し、
前記協力ユーザに対する前記無線通信端末の捜索依頼を前記管理サーバへ送信し、
前記管理サーバが、
前記捜索依頼のあった前記協力ユーザの移動機に対して、遺失した前記無線通信端末の前記サービス識別子、及び前記端末識別情報を前記協力ユーザの移動機へ通知する、遺失物捜索システムの制御方法。
【発明の詳細な説明】
【技術分野】
【０００１】
本発明は、忘れ物や落し物などの遺失物を、迅速かつ安全に捜索することが可能な遺失物捜索システム及び制御方法に関する。
【背景技術】
【０００２】
遺失物の捜索は、忘れ物等をしたと思われる場所を実際に捜索する、あるいは忘れ物等をしたと思われる近くの交番や駅などに問い合わせる等の方法で行われている。
しかしながら、訪れた場所を実際に捜索する方法は、行動範囲が限定されているような場合（例えば、近所の本屋を往復するなど）には有効であるが、行動範囲が広くなると、紛失したと思われる場所の範囲も広くなり多大な手間と時間を要する。また、交番や駅などに問い合わせを行う場合にも、行動範囲が広くなると、問い合わせ先の数が増え、非常に手間がかかる。
【０００３】
かかる事情を考慮して、遺失物の捜索を容易にするためのシステムが提案されている（例えば、特許文献１参照）。この特許文献１には、携帯電話を親機とし、所持品に係着させる装置を子機とし、親機と子機との通信が不可能となった時点で親機が警報を発するようにすることで、忘れ物を防止する忘れ物防止機能付き携帯電話機が開示されている。
【先行技術文献】
【特許文献】
【０００４】
【特許文献１】特開平１１−３４６３８９号公報
【発明の概要】
【発明が解決しようとする課題】
【０００５】
しかしながら、上記特許文献１に記載の発明では、子機をどこかに置き忘れた時点で親機の警報に気付かない場合には、結局、所持者（ユーザ）の記憶を頼りに探さなければいけないという問題があった。
【０００６】
本発明は以上説明した事情を鑑みてなされたものであり、遺失物の発見に要する時間と手間を削減するとともに、高い確率で遺失物を発見することができる遺失物捜索システム及び制御方法を提供することを目的の一つとする。
【課題を解決するための手段】
【０００７】
本発明の一実施形態に係る遺失物捜索システムは、無線通信端末と移動機とのペアリングを管理する管理サーバを備え、無線端末が遺失した場合の捜索サービスを提供する遺失物捜索システムであって、管理サーバは、所定頻度で更新される本サービスを識別するためのサービス識別子を、一定期間分、生成し、管理下にある前記移動機に通知する第１通知手段を備え、無線通信端末とペアリングされた移動機は、無線通信端末に登録されているサービス識別子を、所定頻度で更新する更新手段と、サービス識別子が、所定頻度で更新できなかったことを契機として、無線通信端末は遺失したと判定する判定手段と、遺失した無線通信端末の捜索を依頼する協力ユーザの指定を受け付ける受付手段と、遺失した無線通信端末のサービス識別子、及び無線通信端末を識別するための端末識別情報を管理サーバへ通知する通知手段と、協力ユーザに対する無線通信端末の捜索依頼を管理サーバへ送信する送信手段とを備え、管理サーバは、捜索依頼のあった協力ユーザの移動機に対して、遺失した無線通信端末のサービス識別子、及び端末識別情報を協力ユーザの移動機へ通知する第２通知手段をさらに備えることを特徴とする。
【０００８】
また、本発明の他の実施形態に係る遺失物捜索システムは、無線通信端末と移動機とのペアリングを管理する管理サーバを備え、無線端末が遺失した場合の捜索サービスを提供する遺失物捜索システムであって、管理サーバは、所定頻度で更新される本サービスを識別するためのサービス識別子を、一定期間分、生成し、管理下にある移動機に通知する第１通知手段を備え、無線通信端末とペアリングされた移動機は、無線通信端末に登録されているサービス識別子を、所定頻度で更新する更新手段と、サービス識別子が、所定頻度で更新できなかったことを契機として、無線通信端末は遺失したと判定する判定手段とを備え、管理サーバの管理下にある他の移動機は、無線通信端末から更新前の古いサービス識別子を受信することで、その無線通信端末を、遺失した無線通信端末として検出する検出手段と、無線通信端末を検出した時の時間情報及び位置情報とともに、無線通信端末から受信した古いサービス識別子、及び端末識別情報を管理サーバへ送信する送信手段とを備えることを特徴とする。
【０００９】
さらにまた、本発明の別の実施形態に係る遺失物捜索システムは、無線通信端末と移動機とのペアリングを管理する管理サーバと、アクセスポイントと、アクセスポイントの位置を管理するアクセスポイント管理サーバとを備え、無線端末が遺失した場合の捜索サービスを提供する遺失物捜索システムであって、管理サーバは、所定頻度で更新される本サービスを識別するためのサービス識別子を、一定期間分、生成し、管理下にある前記移動機に通知する第１通知手段を備え、無線通信端末とペアリングされた移動機は、無線通信端末に登録されているサービス識別子を、所定頻度で更新する更新手段と、サービス識別子が、所定頻度で更新できなかったことを契機として、無線通信端末は遺失したと判定する判定手段とを備え、アクセスポイントは、無線通信端末から更新前の古いサービス識別子を受信することで、その無線通信端末を、遺失した無線通信端末として検出する検出手段と、無線通信端末を検出した時の時間情報とともに、無線通信端末から受信した古いサービス識別子、及び端末識別情報を管理サーバへ送信する送信手段とを備え、管理サーバは、アクセスポイント管理サーバに対し、アクセスポイントの位置の問い合わせを行う問い合わせ手段をさらに備え、アクセスポイント管理サーバは、問い合わせに応じて、アクセスポイントの位置を管理サーバに通知する通知手段を備えることを特徴とする。
【発明の効果】
【００１０】
本発明によれば、遺失物の発見に要する時間と手間を削減するとともに、高い確率で遺失物を発見することが可能となる。
【図面の簡単な説明】
【００１１】
【図１】本発明の本実施形態に係る遺失物捜索システムの概略構成を示す図である。
【図２】ビーコン端末の機能ブロック図である。
【図３】移動機の機能ブロック図である。
【図４】管理サーバの機能ブロック図である。
【図５】フェーズ１の処理フローを示すシーケンス図である。
【図６】フェーズ２の処理フローを示すシーケンス図である。
【図７】フェーズ３の処理フローを示すシーケンス図である。
【図８】ＵＵＩＤの更新動作を例示した概念図である。
【図９】フェーズ２での野良ビーコン端末の捜索動作を例示した概念図である。
【図１０】フェーズ３での野良ビーコン端末の捜索動作を例示した概念図である。
【発明を実施するための形態】
【００１２】
以下、図面を参照して本発明の実施の形態を説明する。ただし、以下に説明する実施形態は、あくまでも例示であり、以下に明示しない種々の変形や技術の適用を排除する意図はない。即ち、本発明は、その趣旨を逸脱しない範囲で種々変形（各実施例を組み合わせる等）して実施することができる。また、以下の図面の記載において、同一または類似の部分には同一または類似の符号を付して表している。図面は模式的なものであり、必ずしも実際の寸法や比率等とは一致しない。図面相互間においても互いの寸法の関係や比率が異なる部分が含まれていることがある。
【００１３】
Ａ．本実施形態
（１）構成
図１は、本実施形態に係る遺失物捜索システム１０００の概略構成を示す図である。
遺失物捜索システム１０００は、遺失物となる可能性がある各種アイテム（例えば、家の鍵やパソコン、カメラ等）に取り付けた無線通信機能を有するビーコン端末１００と、ビーコン端末１００が取り付けられたアイテムを遺失してしまった場合に、このアイテムを捜索するキーとなる移動機２００と、遺失物捜索システム１０００の全体を管理する管理サーバ３００と、移動機２００と管理サーバ３００とを接続する通信ネットワークＮＷとを備えて構成される。
【００１４】
以下の説明では、遺失物捜索システム１０００が提供するサービスに加入しているユーザの１人が、ビーコン端末１００が取り付けられたアイテムを遺失した場合に、このサービスに加入している他のユーザの協力を得て（またはアクセスポイントを利用して）、遺失したアイテム（以下、「ユーザ遺失物」という）を捜索する場合を想定する。なお、以下では、捜索を依頼するユーザを本ユーザ、本ユーザが所有する移動機を移動機２００Ａと呼び、捜索の依頼を受けるユーザを協力ユーザ、協力ユーザが所有する移動機を移動機２００Ｂと呼ぶ。
【００１５】
図２は、ビーコン端末１００の機能ブロック図である。
ビーコン端末１００は、ブルートゥース（登録商標）などに代表される近距離無線通信機能を備えた端末であり、ＣＰＵ等からなる制御部１１０と、メモリ１２０と、ブルートゥース通信機能を備えた他のデバイスとの間でＰ２Ｐ通信を行うためのブルートゥース通信部１３０とを備えている。ビーコン端末１００は、例えばコインサイズのチップ、ステッカー、タグなど、様々な形状を有し得る。もっとも、ビーコン端末１００は、様々なアイテムに取り付けることが想定されるため、小型、軽量、かつ取り付け容易な形状であることが望ましい。ブルートゥース通信は、様々な規格に準拠したものが想定される。メモリ１２０には、送信元を特定する情報として、本サービスを一意に特定するためのＵＵＩＤ（Universally Unique Identifier）、ビーコン端末１００を識別するためのメジャー情報及びマイナー情報（端末識別情報）が登録されている。なお、詳細は後述するが、メモリ１３０に記憶されるＵＵＩＤは、ビーコン端末１００が正常状態（すなわち、遺失していない状態）にある場合には、一定期間ごとに順次更新される。
【００１６】
図３は、移動機２００の機能ブロック図である。
移動機２００は、例えばスマートフォンに代表される携帯電話などであり、ＣＰＵ等によって構成された制御部２１０と、液晶パネルなどを備えた表示部２２０と、各種キーなどを備えた操作部２３０と、ブルートゥース通信部２４０と、メモリ２５０とを備えている。もちろん、移動機２００には、携帯電話としての基本機能（音声通話やデータ通信する機能など）を実現するためのハードウェア及びソフトウェアが搭載されている。メモリ２５０には、本システム１０００の利用に必要なアプリケーション（以下、「捜索アプリ」）ＡＰ１が記録されている。移動機２００を所有する各ユーザは、所定のサーバから捜索アプリＡＰ１をダウンロードすることで、本システム１０００の利用が可能となる。
【００１７】
図４は、管理サーバの機能ブロック図である。
管理サーバ３００は、サーバコンピュータなどから構成され、本システム１０００を利用したユーザ逸失物の捜索を管理するとともに、本システム１０００を利用するユーザの登録処理、後述するＵＵＩＤの定期的な払い出し処理等を行う。管理サーバ３００は、ユーザ登録情報等を管理するデータベース３１０、ランダムなＵＵＩＤを定期的に払い出すＵＵＩＤ生成部３２０を備えている。以下、遺失物捜索システム１０００の基本動作について図面を参照しながら説明する。
【００１８】
（２）動作
２−１．ユーザ登録処理
図５〜図７は、ユーザ登録処理からＵＵＩＤの更新処理、捜索処理までの一連の流れを示すシーケンス図である。
図５〜図７に示すように、本ユーザは、移動機Ａとビーコン端末１００との間でペアリング処理を行う（ステップＣ１）。ペアリング処理において、移動機Ａは、ビーコン端末１００から、本サービスを一意に特定するＵＵＩＤとともに、メジャー情報、マイナー情報を含むユニークな端末識別情報を受信し、これらをメモリ２５０に記憶する一方、ビーコン端末１００は、移動機Ａのユニークな移動機識別情報を受信してメモリ１３０に記憶する。このペアリング処理がなされることにより、移動機Ａとビーコン端末１００とは、互いに認証可能な状態となる。
【００１９】
ペアリング処理が終了すると、本ユーザは、移動機Ａを利用して、管理サーバ３００へのビーコン端末１００の登録（すなわちユーザ登録）を行う。移動機Ａは、インストールされた捜索アプリＡＰ１と協働し、まず、管理サーバ３００へアクセスする。管理サーバ３００は、移動機Ａからのアクセス要求に対して、例えば移動機Ａの電話番号を利用することで本システムの利用が可能なユーザ（すなわち、移動機Ａ）であるかを認証する。認証に成功すると、管理サーバ３００は、移動機Ａとペアリングされたビーコン端末１００を識別するための情報として、ビーコン端末１００のメジャー情報及びマイナー情報（端末識別情報）を、移動機Ａに要求する。移動機Ａは、この要求に応じて、ビーコン端末１００のメジャー情報及びマイナー情報をメモリ２５０から読み出し、管理サーバ３００へ送信する（ステップＣ２）。管理サーバ３００は、移動機Ａを特定する移動機識別情報（例えば電話番号等）とビーコン端末１００のメジャー情報及びマイナー情報を対応付けてデータベース３１０へ登録する。そして、管理サーバ３００は、ユーザ登録が正常に完了した旨を移動機Ａに返信し、ユーザ登録処理を終了する。なお、管理サーバ３００は、認証に失敗した場合やユーザ登録が正常に完了できなかった場合には、その旨を、移動機Ａに返信して処理を終了する。
【００２０】
２−２．ＵＵＩＤの更新処理
ユーザ登録処理が終了すると、管理サーバ（第１通知手段）３００は、移動機Ａに対して一週間分のＵＵＩＤを通知する（ステップＣ３）。ここで、通知される一週間分のＵＵＩＤは、管理サーバ３００のＵＵＩＤ生成部３２０によってランダムに生成されるものである。本実施形態では、１日に１度の割合（すなわち２４時間間隔）で、ビーコン端末１００のＵＵＩＤ（サービス識別子）の更新が行われる（ステップＣ４）。この更新間隔は、例えば管理サーバ３００が一週間分のＵＵＩＤを通知する際に、指定すればよい。もちろん、更新間隔（所定頻度）は、サービス仕様に応じて任意に設定・変更可能であり、例えば１２時間間隔や２日に１度の割合で更新しても良い。移動機Ａは、管理サーバ３００から、一週間分のＵＵＩＤを受け取ると、これをメモリ２５０に保持する。移動機Ａは、搭載されているタイマ（図示略）などを利用して更新タイミングが到来したか否かを判断する。移動機（更新手段）Ａは、更新タイミングが到来したと判断すると、ビーコン端末１００に登録されているＵＵＩＤの更新を行う。例えば、図８に示すように、移動機Ａによってビーコン端末１００のＵＵＩＤが更新されることにより、ビーコン端末１００のＵＵＩＤは「ＥＥＥＥ・・・」から「ＦＦＦＦ・・・」へ切り換わる。なお、本実施形態では、ユーザ登録された全ビーコン端末１００を対象に、ＵＵＩＤの更新が行われる。また、更新されるＵＵＩＤは、全ビーコン端末１００に対して共通のものが利用される。例えば、あるタイミングで更新されるＵＵＩＤは、全ビーコン端末１００に対して共通の「ＧＧＧＧ・・・」といった具合である。
【００２１】
２−３．捜索処理
＜フェーズ１＞
フェーズ１は、アイテムの遺失に気付いたユーザが、限られた協力ユーザに対してユーザ遺失物の捜索を依頼する場合を想定したものであり、処理フローは、図５に対応する。
移動機（判定手段）Ａは、アイテムが遺失したか否かを以下のいずれかの基準に基づいて判断する。
（１）ビーコン端末１００のＵＵＩＤが更新されていないこと（第１の判断基準）。
（２）ビーコン端末１００と移動機Ａの非同期状態が所定時間以上続くこと（第２の判断基準）。
【００２２】
ここで、第２の判断基準について詳述すると、ビーコン端末１００には、ビーコン間隔（例えば１００ｍｓ）が設定されており、ビーコン間隔で同期用制御信号（ビーコン信号）を送信する。移動機Ａは、ビーコン端末１００から送信されるビーコン信号を受信し、これにより、移動機Ａは、ビーコン端末１００と同期状態にあると判定する。一方、ビーコン端末１００から送信されるビーコン信号が、移動機Ａによって所定時間以上（例えば３時間）、ビーコン信号の受信が確認されない場合には、移動機Ａは、ビーコン端末１００と同期がとれていない（すなわち非同期状態にある）と判定する。ここで、上述した所定時間（すなわち、非同期状態の判定時間）については、ユーザが任意に設定・変更できるようにしても良い。例えば、ユーザによっては、移動機Ａとアイテム（例えば、家の鍵など）を常に一緒に持ち歩くわけではなく、移動機Ａのみを２〜３時間だけ持ち出す、といった場面が想定される（アイテムは鞄の中など）。このような場合、ユーザが非同期状態の判定時間を任意に設定できれば、誤判定を未然に防止することが可能となる。なお、移動機Ａがビーコン端末１００の遺失を検知する前に、本ユーザがビーコン端末１００の遺失に気づくことも当然あり得る。
【００２３】
移動機Ａは、例えば上述した第１または第２の判断基準のいずれかに基づき、ビーコン端末１００が遺失したと判断すると、移動機（報知手段）Ａは、本ユーザにビーコン端末１００が遺失したことを知らせるべく、表示パネルやスピーカを利用して報知メッセージやアラーム等を出力する（ステップＣ５）。さらに、移動機Ａは、捜索アプリＡＰ１と協働し、ビーコン端末１００の遺失が検知された時点で位置測定を行い、位置情報と時間情報とを取得し、これを遺失検知情報としてメモリ２５０に登録する（ステップＣ６）。そして、移動機（通知手段、送信手段）Ａは、遺失検知情報とともに、本サービスを一意に特定するビーコン端末１００のＵＵＩＤ、ビーコン端末１００を識別するためのメジャー情報及びマイナー情報を管理サーバ３００に送信する（ステップＣ７）。
【００２４】
一方、ビーコン端末１００の遺失を知った本ユーザは、まずは、移動機Ａの操作部（受付手段）２３０を操作することで、登録されている友人（本サービスに加入している協力ユーザ）を指定し、限られた協力ユーザに対してユーザ遺失物（すなわち、ビーコン端末１００）の捜索依頼を行う（ステップＣ８）。協力ユーザを指定して捜索依頼を行う方法として、例えば、本ユーザが移動機Ａの電話帳に登録されている友人（友人を指定することで、友人を特定する情報（例えば、電話番号など）を管理サーバ３００へ通知する方法が想定される。もちろん、いかなる方法で協力ユーザを指定するかは、サービス設計等に応じて適宜設定・変更可能である。また、指定する協力ユーザの範囲等（例えば、一部の友人、同僚、家族など）も任意に設定できるようにしても良い。さらに、本サービスに加入する全ユーザを協力ユーザの対象に設定しても良い。
【００２５】
管理サーバ（第２通知手段）３００は、本ユーザからビーコン端末１００の捜索依頼を受け取ると、データベース３１０を参照し、本ユーザによって指定された協力ユーザ（この場合は、友人）を特定した後、これら全ての協力ユーザの移動機Ｂに対して捜索対象となるビーコン端末１００のＵＵＩＤ、メジャー情報、及びマイナー情報（以下、「捜索キー情報」という）を通知する（ステップＣ９）。なお、説明の便宜上、図５等では１台の移動機Ｂのみ図示している。協力ユーザの各移動機Ｂは、管理サーバ３００から通知を受けたビーコン端末１００の捜索キー情報をもとに、ビーコン端末１００の捜索を開始する。一方、遺失したビーコン端末１００は、遺失前と同様、設定されたビーコン間隔で同期用制御信号（ビーコン信号）を発信している（ステップＣ１０）。このビーコン信号には、ビーコン端末１００を識別するためのＵＵＩＤ、メジャー情報、及びマイナー情報が設定されている。
【００２６】
その後、いずれかの協力ユーザの移動機Ｂが、捜索依頼のあったビーコン端末１００を検出（発見）すると（ステップＣ１１）、検出した時点で位置測定を行い、位置情報と時間情報とを取得する。具体的には、移動機Ｂは、捜索キー情報と一致するＵＵＩＤ、メジャー情報及びマイナー情報を受信することで、捜索依頼のあったビーコン端末１００を検出したと判断する。ビーコン端末１００を検出した移動機Ｂは、取得した位置情報及び時間情報とともに、検出したビーコン端末１００のＵＵＩＤ、メジャー情報及びマイナー情報を管理サーバ３００に送信することで（ステップＣ１２）、捜索依頼のあったビーコン端末１００の検出を管理サーバ３００に知らせる。なお、ビーコン端末１００を検出した移動機Ｂは、取得した位置情報及び時間情報を管理サーバ３００に送信するようにしても良い。
【００２７】
管理サーバ（受信手段、第３通知手段）３００は、移動機Ｂからビーコン端末１００を検出した旨の連絡を受け取ると、捜索依頼のあった本ユーザの移動機Ａに対して、ビーコン端末１００が発見された旨を通知するとともに、移動機Ｂから受信した、ビーコン端末１００が発見（検出）された時点での位置情報及び時間情報を送信する（ステップＣ１３）。
【００２８】
移動機Ａは、管理サーバ３００からの通知に基づき、ビーコン端末１００が発見された旨のメッセージ等を表示パネルに表示し、さらには音声出力するなどして、本ユーザにビーコン端末１００が発見されたことを報知する。さらに、移動機Ａは、管理サーバ３００から受信した位置情報及び時間情報に基づき、ビーコン端末１００が発見された位置を地図表示するとともに、発見時刻をメッセージ表示する。
【００２９】
本ユーザは、移動機Ａの表示メッセージを参照しながら、ビーコン端末１００が発見された場所（例えば、複数の友人とミーティングをしていた駅前のカフェ）に赴く。ビーコン端末１００が、本ユーザによって無事に発見されると、移動機Ａとビーコン端末１００との間で同期処理が開始される（ステップＣ１４）。この際、例えばビーコン端末１００から発信されるＵＵＩＤが、更新されていない古いＵＵＩＤであることを検知すると、移動機Ａは、当該時点で更新されているべき正しいＵＵＩＤをメモリ２５０から読み出し、ビーコン端末１００のＵＵＩＤを更新する（ステップＣ１５）。移動機Ａは、ビーコン端末１００のＵＵＩＤを更新することで、再びビーコン端末１００と同期が取れたことを確認すると、管理サーバ３００に対し、捜索依頼を行っていたビーコン端末１００との間で再同期が取れた旨を通知する（ステップＣ１６）。なお、ビーコン端末１００を遺失した時点からビーコン端末１００が本ユーザの手元に戻るまでの時間が短い場合には、ＵＵＩＤの更新が行われない場合（例えば、ビーコン端末１００の遺失に気づいてから２〜３時間で手元に戻った場合など）もある点に留意されたい。
【００３０】
管理サーバ（第４通知手段）３００は、移動機Ａからビーコン端末１００と再同期が取れた旨の通知を受け取ると、今回の件で捜索依頼した全ての協力ユーザの移動機Ｂに対し、捜索対象であったビーコン端末１００が無事に発見された点、及び捜索依頼の解除を通知し（ステップＣ１７）、処理を終了する。なお、捜索依頼を行った本ユーザの身近なところに（例えば、家の中であって通常入らないような場所に）、ビーコン端末１００が放置された場合には、捜索依頼をしても、一向に見つからないという事態が生じ得る。このような事態を考慮し、例えば捜査打ち切り期限（１週間など）をあらかじめ設定し、この期限内に手がかりが得られない場合には、捜索を打ち切るようにしても良い。なお、捜査打ち切り期限については、本ユーザが任意に設定・変更できるようにしても良く、またデフォルトで固定値を設定しても良い。
【００３１】
以上説明したように、フェーズ１の捜索処理によれば、本ユーザに近い（または、本ユーザと親しい）協力ユーザに捜索依頼することで、捜索が大掛かりになることなく、スピーディーに遺失物を発見することが可能となる。
【００３２】
＜フェーズ２＞
フェーズ２は、本サービスに加入する全ユーザが、野良ビーコン端末１００を捜索する場合を想定したものであり、処理フローは、図６に対応する。なお、ユーザ登録処理及びＵＵＩＤの更新処理については、すでに上述したため、対応する処理フローには同一符号を付し、詳細な説明は割愛する。ここで、野良ビーコン端末１００とは、本サービスに加入するいずれかのユーザが遺失したビーコン端末１００であって、古いＵＵＩＤ（すなわち、正常に更新されていないＵＵＩＤ）を発信しているビーコン端末１００をいう。なお、説明の便宜上、以下では、本ユーザが遺失したビーコン端末１００が、野良ビーコン端末１００として検出される場合を想定する。
【００３３】
移動機Ａは、タイマ等を参照し、ビーコン端末１００のＵＵＩＤの更新タイミングが到来したと判断すると、ＵＵＩＤの更新を試みる。ここで、ビーコン端末１００が遺失している場合には、移動機Ａはビーコン端末１００のＵＵＩＤを更新できない。移動機（判定手段）Ａは、ＵＵＩＤを更新できないことから（第１の判断基準）、ビーコン端末１００は遺失していると判断すると（ステップＣａ５）、本ユーザにビーコン端末１００が遺失したことを知らせるべく、表示パネルやスピーカを利用して報知メッセージやアラーム等を出力する（ステップＣａ６）。一方、遺失したビーコン端末１００は、本来、更新されるべきタイミングでＵＵＩＤが更新されないことから、古いＵＵＩＤが保持され、野良化する（ステップＣａ７：野良ビーコン端末１００の発生）。
【００３４】
野良ビーコン端末１００（すなわち、遺失したビーコン端末１００）は、野良化する前（すなわち、遺失前）と同様、設定されたビーコン間隔で同期用制御信号（ビーコン信号）を発信している（ステップＣａ８）。このビーコン信号には、本サービスを識別するためのＵＵＩＤ、ビーコン端末１００を識別するためのメジャー情報、及びマイナー情報が設定されているが、ＵＵＩＤは、前の更新タイミングで正常に更新できなかったことから、古いＵＵＩＤが野良ビーコン端末１００から発信されることとなる。
【００３５】
一方、本サービスに加入している全ユーザの移動機２００、すなわち移動機Ａ及び移動機Ｂには、これから更新する一定期間分（例えば、１週間分）のＵＵＩＤのほか、過去に更新された一定期間分（例えば、３週間分）のＵＵＩＤがメモリ２５０に記録されている。前述したように、ＵＵＩＤは、本サービスを識別するユニークな値であることから、正常なビーコン端末１００（すなわち、野良化していないビーコン端末１００）からは、更新されたＵＵＩＤが発信されることになる。ここで、更新タイミングは、本サービスの対象となる全てのビーコン端末１００において、ほぼ同じであることから、全ての正常なビーコン端末１００から発信されるＵＵＩＤは共通することになる。
【００３６】
一方、野良ビーコン端末１００は、古いＵＵＩＤを発信し続けることになる。全ユーザの移動機２００は、ビーコン端末１００からビーコン信号を受信する際、ビーコン信号に設定されているＵＵＩＤを検知することで、ビーコン端末１００が正常なビーコン端末１００であるのか、あるいは、野良ビーコン端末１００であるのかを、判別することが可能となる。
【００３７】
ここで、図９に示すように、いずれかの協力ユーザの移動機（検出手段）Ｂが、古いＵＵＩＤを受信することにより、野良ビーコン端末１００を検出すると（ステップＣａ９）、移動機Ｂの捜索アプリＡＰ１は、バックグラウンドで位置測定を行い、位置情報と時間情報とを取得する。野良ビーコン端末１００を検出した移動機（送信手段）Ｂは、取得した位置情報及び時間情報とともに、検出した野良ビーコン端末１００の古いＵＵＩＤ、メジャー情報及びマイナー情報を管理サーバ３００に送信することで（ステップＣａ１０）、野良ビーコン端末１００の検出を管理サーバ３００に知らせる。管理サーバ３００は、これらの情報を受信すると、データベース３１０を参照することで、野良ビーコン端末１００に対応するビーコン端末１００を特定する。そして、このビーコン端末１００の位置情報及び時間情報をデータベース３１０に登録する。なお、実際には、複数の移動機Ｂから同一の野良ビーコン端末１００を検出した旨の報告を受ける場合がある。かかる場合には、時系列で位置情報及び時間情報をデータベース３１０に登録すればよい。
【００３８】
一方、本ユーザは、遺失したビーコン端末１００（すなわち、野良ビーコン端末１００）について、移動機Ａを利用して管理サーバ３００に問い合わせを行う（ステップＣａ１１）。詳述すると、移動機Ａのメモリ２５０には、遺失したビーコン端末１００のメジャー情報及びマイナー情報が登録されているため、これらのメジャー情報及びマイナー情報を利用して遺失したビーコン端末１００の問い合わせを行う。
【００３９】
管理サーバ３００は、問い合わせの正当性を判断するために、移動機Ａの電話番号、ユーザの登録情報の要求を求める（ステップＣａ１２）。管理サーバ（認証手段）３００は、本ユーザによって入力されるユーザ登録情報と、データベース３１０に登録されているユーザ登録情報を比較することで認証を行う（ステップＣａ１３）。認証に成功すると、管理サーバ（第５通知手段）３００は、移動機Ｂから受信した野良ビーコン端末１００の位置情報及び時間情報をデータベース３１０から読み出し、移動機Ａに対して野良ビーコン端末１００の位置情報及び時間情報を通知する（ステップＣａ１４）。なお、いかなる方法で認証を行うかは、サービス設計等に応じて適宜設定・変更可能である。例えば、セキュリティー性を高めるために、本ユーザは、管理サーバ３００に直接電話し、オペレータがユーザ情報等を確認することで認証してもよい。かかる場合には、認証成功後、オペレータが野良ビーコン端末１００の位置情報等を本ユーザに電話で通知する、あるいはメールなどを利用して通知するようにしても良い。
【００４０】
移動機Ａは、管理サーバ３００から受信した野良ビーコン端末１００（すなわち、遺失したビーコン端末１００）の位置情報及び時間情報に基づき、野良ビーコン端末１００が発見された位置を地図表示するとともに、発見時刻をメッセージ表示する。
【００４１】
本ユーザは、移動機Ａの表示メッセージを参照しながら、ビーコン端末１００が発見された場所（例えば、ショッピングセンターの駐車場）に赴く。ビーコン端末１００が、本ユーザによって無事に発見されると、移動機Ａとビーコン端末１００との間で同期処理が開始される（ステップＣａ１５）。この際、例えばビーコン端末１００から発信されるＵＵＩＤが、更新されていない古いＵＵＩＤであることを検知すると、移動機Ａは、当該時点で更新されているべき正しいＵＵＩＤをメモリ２５０から読み出し、ビーコン端末１００のＵＵＩＤを更新する（ステップＣａ１６）。移動機Ａは、ビーコン端末１００のＵＵＩＤを更新することで、再びビーコン端末１００と同期が取れたことを確認すると、管理サーバ３００に対し、ビーコン端末１００との間で再同期が取れた旨、及びビーコン端末１００の更新後のＵＵＩＤ、メジャー情報及びマイナー情報を通知する（ステップＣａ１７）。管理サーバ３００は、これらの通知を受け取ると、データベース３１０に登録されていたビーコン端末１００の位置情報及び時間情報を削除し（ステップＣａ１８）、処理を終了する。
【００４２】
以上説明したように、フェーズ２の捜索処理によれば、本サービスに加入する全ユーザを対象に、野良ビーコン端末１００の捜索が行われるため、よりスピーディーかつ確実に遺失物を発見することが可能となる。また、フェーズ２においては、野良ビーコン端末１００（すなわち、正常にＵＵＩＤが更新されなかったビーコン端末１００）を無差別に捜索するため、遺失したビーコン端末１００の捜索の打ち切り等は不要である。さらに、フェーズ１の捜索処理に、フェーズ２の捜索処理を組み合わせれば、より確実に遺失物を発見することが可能となる。
【００４３】
＜フェーズ３＞
フェーズ３は、通信事業者等が管理するアクセスポイント（ＷｉＦｉ Ａｃｃｅｓｓ Ｐｏｉｎｔ）４００を利用して、野良ビーコン端末１００を捜索する場合を想定したものであり、処理フローは、図７に対応する。なお、ユーザ登録処理及びＵＵＩＤの更新処理、さらに野良ビーコン端末１００が発生するプロセスについては、すでに上述したため、対応する処理フローには同一符号を付し、詳細な説明は割愛する。また、説明の便宜上、以下では、本ユーザが遺失したビーコン端末１００が、野良ビーコン端末１００として検出される場合を想定する。
【００４４】
フェーズ２と同様、野良ビーコン端末１００（すなわち、遺失したビーコン端末１００）は、野良化する前（すなわち、遺失前）と同様、設定されたビーコン間隔で同期用制御信号（ビーコン信号）を発信している（ステップＣａ８）。このビーコン信号には、本サービスを識別するためのＵＵＩＤ、ビーコン端末１００を識別するためのメジャー情報、及びマイナー情報が設定されているが、ＵＵＩＤは、前の更新タイミングで正常に更新できなかったことから、古いＵＵＩＤが野良ビーコン端末１００から発信されることとなる。
【００４５】
一方、ショッピングモール内や駅構内など、さまざまなところに設置されているアクセスポイント４００には、フェーズ２における移動機Ｂと同様、これから更新する一定期間分（例えば、１週間分）のＵＵＩＤのほか、過去に更新された一定期間分（例えば、３週間分）のＵＵＩＤがメモリ（図示略）に記録されている。具体的には、管理サーバ３００から各アクセスポイント４００に対し、所定の更新タイミングでＵＵＩＤが通知される構成となっている（ステップＣｂ３）。
【００４６】
ここで、図１０に示すように、いずれかのアクセスポイント（検出手段）４００が、古いＵＵＩＤを受信することにより、野良ビーコン端末１００を検出すると（ステップＣｂ９）、アクセスポイント４００は、タイマ等を参照して時間情報を取得するとともに、アクセスポイント４００に割り当てられているＭＡＣアドレスを位置情報として読み出す。野良ビーコン端末１００を検出したアクセスポイント（送信手段）４００は、取得した時間情報及び位置情報（ＭＡＣアドレス）とともに、検出した野良ビーコン端末１００の古いＵＵＩＤ、メジャー情報及びマイナー情報を管理サーバ３００に送信することで（ステップＣｂ１０）、野良ビーコン端末１００の検出を管理サーバ３００に知らせる。
【００４７】
管理サーバ３００は、これらの情報を受信すると、データベース３１０を参照することで、野良ビーコン端末１００に対応するビーコン端末１００を特定する。さらに、管理サーバ（問い合わせ手段）３００は、位置情報として受信したＭＡＣアドレスをキーとして、アクセスポイント管理サーバ５００に問い合わせを行う（ステップＣｂ１１）。アクセスポイント管理サーバ５００には、全アクセスポイント４００について、ＭＡＣアドレスと設置されている住所とが対応づけて登録されている。アクセスポイント管理サーバ（通知手段）５００は、管理サーバ３００からの問い合わせに応じて、ＭＡＣアドレスに対応するアクセスポイントが設置されている住所（例えば、「新宿区・・・・」など）を読み出し（図１０参照）、管理サーバ３００へ返信する（ステップＣｂ１２）。
【００４８】
この後、フェーズ２と同様、本ユーザは、遺失したビーコン端末１００（すなわち、野良ビーコン端末１００）について、移動機Ａを利用して管理サーバ３００に問い合わせ等を行う（ステップＣａ１１）。管理サーバ３００は、問い合わせの正当性を判断するために、移動機Ａの電話番号、ユーザの登録情報の要求を求める（ステップＣａ１２）。管理サーバ（認証手段）３００は、本ユーザによって入力されるユーザ登録情報と、データベース３１０に登録されているユーザ登録情報を比較することで認証を行う（ステップＣａ１３）。認証に成功すると、管理サーバ（第６通知手段）３００は、移動機Ｂから受信した野良ビーコン端末１００の位置情報及び時間情報をデータベース３１０から読み出し、移動機Ａに対して野良ビーコン端末１００の位置情報及び時間情報を通知する（ステップＣａ１４）。なお、この後の動作は、フェーズ２と同様であるため、対応する処理については同一符号を付し、これ以上の説明は割愛する。
【００４９】
以上説明したように、フェーズ３の捜索処理によれば、ショッピングモールや駅構内など、様々なところに設置されているアクセスポイントを利用して、野良ビーコン端末１００の捜索が行われるため、よりスピーディーかつ確実に遺失物を発見することが可能となる。また、フェーズ３においては、フェーズ２と同様、野良ビーコン端末１００（すなわち、正常にＵＵＩＤが更新されなかったビーコン端末１００）を無差別に捜索するため、遺失したビーコン端末１００の捜索の打ち切り等は不要である。さらに、フェーズ１やフェーズ２の捜索処理に、フェーズ３の捜索処理を組み合わせれば、より確実に遺失物を発見することが可能となる。
【００５０】
Ｂ．その他
本実施形態では、近距離無線通信の代表としてブルートゥース通信を例示したが、その他の通信規格によって実現される様々な通信（例えば、赤外線による光無線データ通信など）にも適用可能である。
【００５１】
また、本実施形態では、移動機２００の例として、スマートフォンに代表される携帯電話を例示したが、これに限る趣旨ではない。ブルートゥース通信機能を備えたパーソナルコンピュータ、携帯情報端末（ＰＤＡ）、ウェアラブル端末などにも適用可能である。
【符号の説明】
【００５２】
１０００…遺失物捜索システム、１００…ビーコン端末，野良ビーコン端末、１１０…制御部、１２０…メモリ、１３０…ブルートゥース通信部、２００，２００Ａ，２００Ｂ…移動機、２１０…制御部、２２０…表示部、２３０…操作部、２４０…ブルートゥース通信部、２５０…メモリ、ＡＰ１…捜索アプリ、３００…管理サーバ、３１０…データベース、３２０…ＵＵＩＤ生成部、４００…アクセスポイント、５００…アクセスポイント管理サーバ。
【図１】
0005937146.tif 000002
【図２】
0005937146.tif 000003
【図３】
0005937146.tif 000004
【図４】
0005937146.tif 000005
【図５】
0005937146.tif 000006
【図６】
0005937146.tif 000007
【図７】
0005937146.tif 000008
【図８】
0005937146.tif 000009
【図９】
0005937146.tif 000010
【図１０】
0005937146.tif 000011